(57)【特許請求の範囲】
【請求項１】
原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段とを備え、前記基準クロックを前記アナログ信号処理系タイミング信号発生手段へ入力すると共に前記スペクトラム拡散クロックを前記デジタル信号処理系タイミング発生手段へ入力することを特徴とする画像読取装置。
【請求項２】
原稿画像を照明し、その光像を光電変換手段へ導く光学系と、前記光電変換手段からのアナログ信号のアナログ処理手段と、このアナログ処理手段で処理されたアナログ信号をデジタル信号へ変換するＡ／Ｄ変換手段と、少なくとも、前記、光電変換手段、アナログ処理手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段とを備え、前記基準クロックを前記アナログ信号処理系タイミング信号発生手段へ入力すると共に前記スペクトラム拡散クロックを前記デジタル信号処理系タイミング発生手段へ入力することを特徴とする画像読取装置。
【請求項３】
原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段と、前記基準クロックと前記スペクトラム拡散クロックとを選択的に前記アナログ信号処理系タイミング信号発生手段へ入力する切換手段とを備えたことを特徴とする画像読取装置。
【請求項４】
原稿画像を照明し、その光像を光電変換手段へ導く光学系と、前記光電変換手段からのアナログ信号のアナログ処理手段と、このアナログ処理手段で処理されたアナログ信号をデジタル信号へ変換するＡ／Ｄ変換手段と、少なくとも、前記、光電変換手段、アナログ処理手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段と、前記基準クロックと前記スペクトラム拡散クロックとを選択的に前記アナログ信号処理系タイミング信号発生手段へ入力する切換手段とを備えたことを特徴とする画像読取装置。
【請求項５】
請求項１乃至４のいずれかに記載の画像読取装置において、前記Ａ／Ｄ変換手段の後段に非同期リード・ライト可能なメモリを有していることを特徴とする画像読取装置。
【請求項６】
請求項５に記載の画像読取装置において、非同期リード・ライト可能なメモリは主走査２ライン分以上の画像データ容量を有していることを特徴とする画像読取装置。
【請求項７】
請求項５または６に記載の画像読取装置において、前記光電変換手段は３ラインＣＣＤを備え、前記非同期リード・ライト可能なメモリは前記３ラインＣＣＤのライン間を補正するライン間補正メモリと共用のものであることを特徴とする画像読取装置。
【請求項８】
請求項３または４に記載の画像読取装置において、前記切換手段は、画像読み取り時には前記基準クロックを選択し、それ以外の時は前記スペクトラム拡散クロックを選択することを特徴とする画像読取装置。
【請求項９】
請求項８に記載の画像読取装置において、読み取った画像を取り込むための少なくとも読取領域分の画像データメモリを備えたことを特徴とする画像読取装置。
【請求項１０】
請求項４に記載の画像読取装置において、前記切換手段は、前記アナログ処理手段の初期設定のための画像読み取り時は前記基準クロックを選択し、それ以外の時は前記スペクトラム拡散クロックを選択することを特徴とする画像読取装置。
【請求項１１】
請求項３または４に記載の画像読取装置において、前記画像処理手段はシェーディング補正手段を備え、前記切換手段は、シェーディングデータ取り込み時には前記基準クロックを選択し、それ以外の時は前記スペクトラム拡散クロックを選択することを特徴とする画像読取装置。
【請求項１２】
請求項８または９に記載の画像読取装置において、ディスプレイエディターモードに設定されているときの画像読み取り時は、前記切換手段は、前記スペクトラム拡散クロックを選択することを特徴とする画像読取装置。
【請求項１３】
原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するタイミング信号発生手段と、基準クロック発生手段と、この基準クロック発生手段からの基準クロックが入力されると共にその基準クロック又はそれを周波数変調したスペクトラム拡散クロックを選択的に前記タイミング信号発生手段へ出力可能なスペクトラム拡散クロック発生手段とを備え、前記スペクトラム拡散クロック発生手段は、プレスキャンにより検出された画像濃度に応じて、本スキャン時に前記タイミング信号発生手段へ出力するクロックを選択することを特徴とする画像読取装置。
【請求項１４】
原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するタイミング信号発生手段と、基準クロック発生手段と、この基準クロック発生手段からの基準クロックが入力されると共にその基準クロック又はそれを周波数変調したスペクトラム拡散クロックを選択的に前記タイミング信号発生手段へ出力可能なスペクトラム拡散クロック発生手段とを備え、前記スペクトラム拡散クロック発生手段は、画像読み取り時の画像データの濃度によって、前記タイミング信号発生手段へ出力するクロックを選択することを特徴とする画像読取装置。
【請求項１５】
請求項１乃至１４のいずれかに記載された画像読取装置を備えた画像形成装置。
【発明の詳細な説明】
【０００１】
【発明の属する技術分野】
本発明は、スキャナ、デジタル複写機、デジタルカラー複写機、ファクシミリ、カラーファクシミリ等に適用可能な画像読取装置、及び該画像読取装置を備えた画像形成装置、とくにそのＥＭＩ対策に関連する技術に関するものである。
【０００２】
【従来の技術】
近年はカラー化、高画質化など画像処理に要求されることが増え画像処理の回路規模も大きくなってきており、これに伴いこの部分の放射電磁波のレベルも大きくなっている。とくに読取装置では光電変換手段であるＣＣＤを駆動するのに転送クロック×２、リセットクロック、クランプクロック、最終段クロック等多数のクロックを使用しており、そのため、駆動クロックの基本周波数成分が発生する。また、ＣＣＤの基板は光学系の構成上レンズ面に対して平行に取り付けられるため、クロック発生用のタイミング信号発生回路とは別基板になっていることが多い。この場合、ハーネス接続となり、この部分からの放射も避けられない。
そこで、高調波成分を下げて、ＥＭＩ規格に適合させるためにスペクトラム拡散発生器を用いる技術があり、例えば、特開平９−９８１５２号公報には、クロック信号を周波数変調するスペクトラム拡散技術を使用することで、高調波のピークの周波数分布を広げてピークを下げ、クロックによる高調波成分を下げて電磁妨害（ＥＭＩ）の低減を図る拡散スペクトラム・クロック生成装置の発明が記載されている。また、この拡散スペクトラム発生器を読取装置に用いる技術もある。
【０００３】
【発明が解決しようとする課題】
しかしながら、スペクトラム拡散クロック発生器を用いた場合、ＣＣＤやアナログ処理の駆動クロックにスペクトラム拡散クロックにより変調をかけると、サンプリングする信号の波形により読み取った画像に周期的なノイズが発生することがある。以下、この点について説明する。
まず、スペクトラム拡散クロック発生器について説明する。スペクトラム拡散クロック発生器は基準クロック発振器から入力されたクロックを±１％の範囲で周波数変調する。参考として図３５（後記マニュアル、４頁  Figue ５）に示すように周期変調させる。
変調周波数ｆｍは以下の式で求められる。
基準クロック周波数を１７．５ＭＨｚとすると、
ｆｍ＝３１×（基準クロック周波数／１６）＝３３．９０６ｋＨｚ
Ｔｍ＝１／ｆｍ＝２９．４９３μＳ
この変調周波数で拡散された前後のクロック出力の周波数帯域は参考として図３６（後記マニュアル  ３頁  Figue ４）のようになる。スペクトラム拡散クロック発生器の内部のＰＬＬの出力を変調して、同調したクロック信号の帯域を拡散させることでピーク値を減衰させる。ピーク値の減衰率は高調波の次数や変調の度合いに依存して以下の式で求められる。
ｄＢ＝６．５＋９．１×ｌｏｇ10（Ｐ）＋９．１×ｌｏｇ10（Ｆ）
Ｐ＝拡散の割合（％）、Ｆ＝減衰を測定した周波数（ＭＨｚ）
このように拡散の割合が大きく周波数が高いほど減衰効果が大きくなる。
なお、詳細はＳＳＦＴＧ（Ｗ４２Ｃ３１−０３）マニュアル（August 1998 Revision 0.7  IC WORKS ・3725 North First Street ・San Jose CA 95134-1700・(408)-0202参照）
次に従来技術での不具合な点について説明する。
図１２、１３は従来の画像読取装置の要部のブロック図であり、図示のようにスペクトラム拡散クロックがタイミング回路１１２へ入力され、ＣＣＤ系クロック、アナログ処理系クロック、ＡＤＣ（Ａ／Ｄコンバータ）クロック、ＩＰＵ（画像処理ユニット）クロック、デジタル系クロック等がそれぞれ各ブロックへ供給される場合は、基準クロック発振器１３６からの基準クロックに対してスペクトラム拡散クロック発生器１３７にて変調したクロックをタイミング回路１１２へ入力しているので全ての同期が取れており、クロック信号に対するセットアップタイムとホールドタイムも損ねることはないから、同期回路を伴ったデジタル回路では動作上問題はない。これに対して、アナログ回路では、アナログ出力部においては信号出力部分が十分な平坦性を保てれば問題ないが、保てなくなってくると問題となる。これは一般的に動作周波数が高くなればなるほど困難となってくる。
アナログ信号とサンプリングクロックは同期は取れているもののサンプリングポイントに傾斜がある場合にはサンプル値が微妙に変化する。特にＣＣＤ出力やアナログ処理回路の内部信号はクロックノイズ等の影響もあり、スペクトラム拡散クロックの変調周波数に依存する周期的なノイズが発生する。
したがって、本発明は全体としては前記従来の問題を解消することを目的とするものである。また、その他の目的は、各請求項についてその実施形態とともに後述する。
【０００４】
【課題を解決するための手段】
請求項１、２の発明は、画像読取装置のアナログ系（ＣＣＤ、ＡＤＣ）にスペクトラム拡散クロックを使用すると画像に周期的なノイズが発生する場合があるが、ＡＤＣ（Ａ／Ｄコンバータ）の後段のデジタル系（シェーディング補正回路、各画像処理回路）に対しては問題なく使用できるため、タイミング回路をアナログ系クロック発生回路とデジタル系クロック発生回路に分けることでアナログ系クロック発生回路は基準クロックで動作させて画像データに周期ノイズが発生するのを防ぎ、デジタル系クロック発生回路はスペクトラム拡散クロックを使用してＥＭＩの低減を図ったものである。具体的には、
請求項１の発明は、原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段とを備え、前記基準クロックを前記アナログ信号処理系タイミング信号発生手段へ入力すると共に前記スペクトラム拡散クロックを前記デジタル信号処理系タイミング発生手段へ入力することを特徴とする画像読取装置である。
【０００５】
請求項２の発明は、原稿画像を照明し、その光像を光電変換手段へ導く光学系と、前記光電変換手段からのアナログ信号のアナログ処理手段と、このアナログ処理手段で処理されたアナログ信号をデジタル信号へ変換するＡ／Ｄ変換手段と、少なくとも、前記、光電変換手段、アナログ処理手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段とを備え、前記基準クロックを前記アナログ信号処理系タイミング信号発生手段へ入力すると共に前記スペクトラム拡散クロックを前記デジタル信号処理系タイミング発生手段へ入力することを特徴とする画像読取装置である。
【０００６】
請求項３、４の発明は、画像読取装置のアナログ系（ＣＣＤ、ＡＤＣ）にスペクトラム拡散クロックを使用すると画像に周期的なノイズが発生する場合があるが、これは読み取り時のクロックにスペクトラム拡散クロックを使用したためであり、待機時や画像メモリからの出力時はスペクトラム拡散クロックを使用しても問題ないことに着目して、クロック切換手段で基準クロックが必要なとき以外はスペクトラム拡散クロックをアナログ信号処理系タイミング信号発生手段に入力してＥＭＩの低減を図ったものである。具体的には、
請求項３の発明は、原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段と、前記基準クロックと前記スペクトラム拡散クロックとを選択的に前記アナログ信号処理系タイミング信号発生手段へ入力する切換手段とを備えたことを特徴とする画像読取装置である。
【０００７】
請求項４の発明は、原稿画像を照明し、その光像を光電変換手段へ導く光学系と、前記光電変換手段からのアナログ信号のアナログ処理手段と、このアナログ処理手段で処理されたアナログ信号をデジタル信号へ変換するＡ／Ｄ変換手段と、少なくとも、前記、光電変換手段、アナログ処理手段、Ａ／Ｄ変換手段の各動作クロックを発生するアナログ信号処理系タイミング信号発生手段と、前記Ａ／Ｄ変換手段の後段の画像処理手段の動作クロックを発生するデジタル信号処理系タイミング発生手段と、基準クロック発生手段と、この基準クロック発生手段の出力に基づいてスペクトラム拡散クロックを発生するスペクトラム拡散クロック発生手段と、前記基準クロックと前記スペクトラム拡散クロックとを選択的に前記アナログ信号処理系タイミング信号発生手段へ入力する切換手段とを備えたことを特徴とする画像読取装置である。
【０００８】
請求項５の発明は、タイミング回路をアナログ系クロック発生回路とデジタル系クロック発生回路に分けて、アナログ系クロック発生回路は基準クロックで動作させ、デジタル系クロック発生回路はスペクトラム拡散クロックで動作させると、両者のつなぎの部分（Ａ／Ｄ変換手段と画像処理手段との間）で同期が取れなくなる場合があるが、これはスペクトラム拡散クロックの拡散幅の大きさに左右される。本発明は両者のつなぎの部分に非同期リード・ライト可能なメモリを入れて同期ズレが発生しないようにしたものである。
即ち、請求項１乃至４のいずれかに記載の画像読取装置において、前記Ａ／Ｄ変換手段の後段に非同期リード・ライト可能なメモリを有していることを特徴とする画像読取装置である。
【０００９】
請求項６の発明は、非同期リード・ライト可能なメモリにおいて、基準クロックでライトして拡散クロックでリードする場合はライン間隔で遅らせてリードする方が制御上シンプルとなる。その最低のディレーが１ラインとなり２ライン以上の容量が必要となる。そこで、
請求項６の発明は、請求項５に記載の画像読取装置において、非同期リード・ライト可能なメモリは主走査２ライン分以上の画像データ容量を有していることを特徴とする画像形成装置である。
【００１０】
請求項７の発明は、請求項５または６に記載の画像読取装置において、前記光電変換手段は３ラインＣＣＤを備え、前記非同期リード・ライト可能なメモリは前記３ラインＣＣＤのライン間を補正するライン間補正メモリと共用のものであることを特徴とする画像読取装置である。
【００１１】
請求項８の発明は、請求項３または４に記載の画像読取装置において、前記切換手段は、画像読み取り時には前記基準クロックを選択し、それ以外の時は前記スペクトラム拡散クロックを選択することを特徴とする画像読取装置である。
【００１２】
請求項９の発明は、請求項８に記載の画像読取装置において、読み取った画像を取り込むための少なくとも読取領域分の画像データメモリを備えたことを特徴とする画像読取装置である。
【００１３】
請求項１０の発明は、請求項４に記載の画像読取装置において、前記切換手段は、前記アナログ処理手段の初期設定のための画像読み取り時は前記基準クロックを選択し、それ以外の時は前記スペクトラム拡散クロックを選択することを特徴とする画像読取装置である。
【００１４】
請求項１１の発明は、請求項３または４に記載の画像読取装置において、前記画像処理手段はシェーディング補正手段を備え、前記切換手段は、シェーディングデータ取り込み時には前記基準クロックを選択し、それ以外の時は前記スペクトラム拡散クロックを選択することを特徴とする画像読取装置である。
【００１５】
請求項１２の発明は、請求項８または９に記載の画像読取装置において、ディスプレイエディターモードに設定されているときの画像読み取り時は、前記切換手段は、前記スペクトラム拡散クロックを選択することを特徴とする画像読取装置である。
【００１６】
請求項１３の発明は、原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するタイミング信号発生手段と、基準クロック発生手段と、この基準クロック発生手段からの基準クロックが入力されると共にその基準クロック又はそれを周波数変調したスペクトラム拡散クロックを選択的に前記タイミング信号発生手段へ出力可能なスペクトラム拡散クロック発生手段とを備え、前記スペクトラム拡散クロック発生手段は、プレスキャンにより検出された画像濃度に応じて、本スキャン時に前記タイミング信号発生手段へ出力するクロックを選択することを特徴とする画像読取装置である。
【００１７】
請求項１４の発明は、原稿画像を照明し、その光像を光電変換手段へ導く光学系と、前記光電変換手段からのアナログ信号をデジタル信号へ変換するＡ／Ｄ変換手段と、少なくとも、前記、光電変換手段、Ａ／Ｄ変換手段の各動作クロックを発生するタイミング信号発生手段と、基準クロック発生手段と、この基準クロック発生手段からの基準クロックが入力されると共にその基準クロック又はそれを周波数変調したスペクトラム拡散クロックを選択的に前記タイミング信号発生手段へ出力可能なスペクトラム拡散クロック発生手段とを備え、前記スペクトラム拡散クロック発生手段は、画像読み取り時の画像データの濃度によって、前記タイミング信号発生手段へ出力するクロックを選択することを特徴とする画像読取装置である。
【００１８】
請求項１５の発明は、請求項１乃至１４のいずれかに記載された画像読取装置を備えた画像形成装置である。
【００１９】
【発明の実施の形態】
図１において本発明を実施する為の画像形成装置の概要について説明する。
画像読み取りユニット２により、原稿を光源により照射しながら原稿を走査して、原稿からの反射光を３ラインＣＣＤセンサにより画像を読み取り、画像データを画像処理ユニット３に送る。画像処理ユニット３では、スキャナγ補正、色変換、主走査変倍、画像分離、加工、エリア処理、階調補正処理などの画像処理を行なった画像データを画像書き込みユニット４へ送る。
画像書き込みユニット４では、画像データに応じてＬＤ（レーザーダイオード）の駆動を変調する。ドラムユニット８では一様に帯電された回転する感光体ドラムに前記ＬＤからのレーザービームにより潜像を書き込み、現像ユニット１０によりトナーを付着させて顕像化させる。
感光体ドラム上に作られた画像は、中間転写部９の中間転写ユニットの転写ベルト上に再転写される。中間転写ベルト上にはフルカラーコピーの場合４色（Ｂｋ、Ｃ、Ｍ、Ｙの４色）のトナーが順次重ねられる。
フルカラーコピーの場合にはＢｋ、Ｃ、Ｍ、Ｙの４色作像・転写工程が終了した時点で中間転写ベルトとタイミングを合わせて、給紙部１１より転写紙が給紙され、紙転写部で中間転写ベルトから４色同時に転写紙にトナーが転写される。トナーが転写された転写紙は搬送部を経て定着部１２に送られ、定着ローラと加圧ローラによって熱定着され排紙される。
【００２０】
また、コピーモード等のユーザーが設定するものは、操作部ユニット５によって入力される。設定されたコピーモード等の操作モードはシステム制御ユニット１に送られ、システム制御ユニット１では設定されたコピーモードを実行するための制御処理を行う。この時、システム制御ユニット１から、画像読み取りユニット２、画像処理ユニット３、画像書き込みユニット４、画像表示ユニット７等のユニットに対して制御指示を行う。
画像表示ユニット７に画像読み取りユニット２から読み取った画像を表示するには、システム制御ユニット１からの制御指示により、画像読み取りユニット２が原稿画像の読み取りをスタートし、画像読み取りユニット２からの画像信号に対して、画像処理ユニット３において画像表示ユニット７で表示するのに適した画像処理を行った後、画像表示ユニット７に原稿の画像データを出力する。
画像処理ユニット３から出力された画像データは、図２に示す画像表示ユニット７の機能ブロック図のＦＩＦＯ（ラインバッファ）２１を介して、ＣＰＵ２３内蔵のＤＭＡ（画像データメモリ）コントローラによって、画像データ格納用のＤＲＡＭ２２に格納される。
画像表示ユニット７には画像データと共に画像データ制御信号も送られるので、有効画像領域だけを取り込むことが可能である。
ＤＲＡＭ２２に格納された有効画像データは、ＣＰＵ２３によってＶＲＡＭ（ビデオメモリ）２４にＤＭＡ転送される。この時ＣＰＵ２３によってＤＲＡＭ２２内の画像データの任意の部分を転送したり、拡大・縮小・間引き等の処理を行うことも可能である。
ＶＲＡＭ２４に転送された画像データは、ＬＣＤＣ（ＬＣＤコントローラ）２５の制御によりＬＣＤ（液晶）パネル２６に表示される。
【００２１】
図３は画像表示ユニットの説明図であって、画像表示ユニットは画像をＬＣＤに表示させ、その画面内で編集・加工のエリア指定／モード設定を行うためのディスプレイエディターを兼用しても良い。図３の各設定キーは図２の機能ブロック図においては３１のキーボード部分にあたり、本発明で特に重要な部分として、読取キーと明るさ調整つまみ（キー）がある。読取キーは原稿の読取をスタートさせ、読み取られた画像全体がディスプレイに表示される。明るさ調整つまみは、ディスプレイのコントラストを調整する。
【００２２】
図４は操作部ユニットの一例を示し、図中、４１はテンキー、４２はモードクリア／予熱キー、４３は割り込みキー、４４は画質調整キー、４５はプログラムキー、４６はプリントスタートキー、４７はクリア／ストップキー、４８はエリア加工キー、４９は輝度調整つまみ、５０はＬＣＤ（液晶パネル）上に配置されたタッチパネルキー、５１は初期設定キー、を示している。ここで、テンキー４１はコピー枚数などの数値入力を行う場合に使用する。モードクリア／予熱キー４２は設定したモードを取り消して初期設定に戻す場合や、一定時間以上の連続押下で予熱状態とする設定を行う。割り込みキー４３はコピー中に割り込み、別の原稿のコピーを行う場合に使用する。画質調整キー４４は画質の調整を行うときに使用する。プログラムキー４５はよく使用するモードの登録や呼出を行う場合に使用する。プリントスタートキー４６はコピー開始の為のキーである。クリア／ストップキー４７は入力した数値をクリアする場合や、コピー途中でコピーを中断する場合に使用する。エリア加工キー４８は画像表示ユニット（ディスプレイエディター）上で、エリア加工・編集等のモードを使用する場合に使用する。
輝度調整つまみ４９はＬＣＤパネルの画面の明るさを調整する。
また、タッチパネルキー５０はＬＣＤパネル上に表示された各種のキーの範囲と同じ範囲にキーエリアを設定して、タッチパネルが前記設定された範囲内の押下を検出すると、その設定されたキーの処理を行う。
初期設定キー５１はユーザーが各初期設定を選択できる時に押下する。
【００２３】
図５はＬＣＤ（液晶表示画面）の一例を示す。
図５に示されるように、ＬＣＤ画面上でカラーモード、自動濃度、マニュアル濃度、画質モード、自動用紙選択、用紙トレイ、用紙自動変倍、等倍、ソート、スタック等のモード選択表示があり、さらにクリエイト、カラー加工、両面、変倍等のサブ画面選択表示もある。各表示の大きさと同様の大きさのキーがタッチパネル上に設定されている。
【００２４】
図６は図５上の変倍キー押下による画面展開の一例を示す。
変倍キーが押下されると、画面下方から変倍設定画面がスクロールアップされる。変倍設定画面には定型変倍（予め変倍率が設定されている変倍モード）用のキーが設定されている。例えば７１％の部分のタッチパネルキーを押下すると、変倍率７１％が選択される。またこの画面には定型変倍以外の変倍モードを選択するため、ズームキー、寸法変倍キー、独立変倍／拡大連写キーが画面左側に設定されている。
【００２５】
図７はタッチパネル７１検出回路の一例を表したものであり、図８はＸ１、Ｘ２、Ｙ１、Ｙ２の設定状態を表したものである。
コントローラ７２は検出端子をＨｉｇｈ状態にして、Ｘ１、Ｘ２、Ｙ１、Ｙ２を図８に示されるように設定する。Ｙ１、Ｙ２の回路は抵抗でプルアップされているので、タッチパネルＯＦＦのときＹ１は＋５Ｖになり、ＯＮの時は０Ｖになる。従って、Ａ／Ｄコンバータ７３の出力からＯＮ／ＯＦＦの状態を確認する。
コントローラ７２は、タッチパネルＯＮの状態を検知すると測定モードに切り換わる。Ｘ方向の時はＸ１は＋５Ｖ、Ｘ２は０Ｖになり、入力位置の電位がＹ１を通してＡ／Ｄコンバータ７３に接続されて座標が算出される。Ｙ方向の座標も回路を切り換えて同様に算出される。このような検出回路によって、タッチパネルの押下位置が検出される。
【００２６】
図９は操作部ユニット５のブロック図を示したものである。
ＣＰＵ５３からのアドレス信号はアドレスラッチ５４に取り込まれ、ＣＰＵ５３からの信号によりここでコントロールされる。アドレスラッチ５４を出たアドレス信号はその一部がアドレスデコーダ５６に入り、ここで各ＩＣへのチップセレクト信号を作り、メモリマップの作成に使用される。また、アドレスはＲＯＭ，ＲＡＭ等のメモリやＬＣＤＣ５５に入りアドレス指定に使用される。
一方ＣＰＵ５３からのデータバスはメモリやＬＣＤＣ５５に接続され、データの双方向通信が行われる。ＬＣＤＣ５５にはＣＰＵ５３からのアドレスバス、データバスの他に、ＬＥＤドライバ５９、キーボード６０、アナログタッチパネル６１、ＬＣＤモジュール６２、そして表示データ用のＲＯＭ６３、ＲＡＭ６４等が接続されている。
ＬＣＤＣ５５はキーボード６０からの信号やタッチパネル６１からの信号によりＲＯＭ６３、ＲＡＭ６４のデータから表示データを作成し、ＬＣＤ５５上への表示をコントロールする。また、ＣＰＵ５３には光ファイバー用コネクタが接続されており、外部との通信を行える。
【００２７】
本発明の画像読み取り装置の全体ブロック図を図１０、１１に示す。
スキャナＩＰＵ制御部上のＣＰＵ１０１は、ＲＯＭ１０２に格納されたプログラム実行し、ＲＡＭ１０３にデータ等を読み書きすることで、スキャナ・ＩＰＵ部の全体の制御を行っている。また、システム制御部１０４とシリアル通信で接続されており、コマンド及びデータの送受信により指令された動作を行う。さらに、システム制御部１０４は操作表示部１０５とシリアル通信で接続されており、ユーザーからのキー入力指示により動作モード等の指示を設定することができる。ＣＰＵ１０１はＩ／Ｏ１０６を介して図示されていない原稿検知センサ、ＨＰセンサ、圧板開閉センサ、冷却ファン等に接続されおり検知及びＯＮ／ＯＦＦの制御を行う。スキャナモータドライバ１０７はＣＰＵ１０１からのＰＷＭ（パルス幅変調）出力によりドライブされ、励磁パルスシーケンスを発生し、原稿走査駆動用のパルスモータ１０８を駆動する。
ランプレギュレータ１０９に駆動されたハロゲンランプ１１０からの光は図示されていない原稿に照射され、その反射光が図示されていないミラー及びレンズを通り、３ラインＣＣＤ１１１に結像される。３ラインＣＣＤ１１１はスキャナＩＰＵ制御上のタイミング回路１１２によって、各駆動クロックを与えられて各ＲＧＢのｏｄｄ，ｅｖｅｎのアナログの画像信号をエミッタホロワ１１３〜１１５に出力する。エミッタホロワ１１３〜１１５からアナログ処理回路１１６〜１１８へ入力された信号はアナログ処理回路１１６〜１１８内で減算法ＣＤＳ（相関二重サンプリング）を施され、３ラインＣＣＤ１１１のオプティカルブラック部でラインクランプを施され、ｏｄｄとｅｖｅｎの出力差が補正され、それぞれのアンプゲイン調整が行われる。ゲイン調整後はマルチプレクサで合成され、最終的にＤＣレベルのオフセット調整後にＡ／Ｄコンバータ１１９〜１２１へ入力される。
Ａ／Ｄコンバータ１１９〜１２１へ入力されたアナログ画像信号はデジタル化されてシェーディング補正回路１２２へ入力される。シェーディング補正回路１２２は照明系の光量不均一や３ラインＣＣＤ１１１の画素出力のバラツキを補正する機能を持っている。シェーディング補正された画像データはライン間補正メモリ１２３、１２４へ入力される。ここで３ラインＣＣＤ１１１のＢとＧ、ＢとＲのライン数の画像データがメモリで遅延されて、ＲＧＢの読取画像の１ライン以上の位置合わせが行われ、ドット補正部（ＲＧＢ）１２５へ出力される。
【００２８】
ドット補正部１２５ではライン間補正メモリ１２３、１２４から出力されたＲＧＢ画像データ間の１ライン以内のドットのズレを補正する。スキャナγ補正部１２６は反射率リニアなデータをルックアップテーブル方式で補正する。この補正後の画像データは自動原稿色判定回路１２８と自動画像分離回路１２９とディレーメモリ１２７を介して、ＲＧＢフィルタ、色変換部、変倍処理部、及びクリエイト部を有する第１画像処理ブロック１３０に入力される第１ルートと、Ｒ用、Ｇ用、Ｂ用の画像データメモリ１３３、１３４、１３５に入力される第２ルートに分かれる。画像データメモリ１３３、１３４、１３５はスキャナ最大読取領域の画像データをＲＧＢ別に蓄積できるＤＲＡＭで構成されており、１スキャンでＲＧＢの画像データを取り込み、フルカラー重ね画像出力時やリピート複写時はこの画像メモリ１３３、１３４、１３５から読み出した画像データをスキャナγ補正部１２６の出力側に供給し、第１ルートに戻すことで対応できるようになっている。
【００２９】
自動原稿色判定回路１２８はＡＣＳ（有彩／無彩判定）処理を行う。ＡＣＳ処理は黒、及び灰色の判定を行う処理である。自動画像分離回路１２９は、エッジ判定（白画素と黒画素の連続性により判定）、網点判定（画像中の山／谷ピーク画素の繰り返しパターンにより判定）、写真判定（文字・網点外で画像データある場合）を行い、文字及び印刷（網点）部、写真部の領域を判定してＣＰＵ１０１に伝え、第１画像処理ブロック１３０内のＲＧＢフィルタ及び色変換部、並びにプリンタγ補正部、ＹＭＣＫフィルタ、及び階調処理部を有する第２画像処理ブロック１３１におけるパラメータや係数の切り換えに使用される。
ディレーメモリ１２７から出力された画像データは第１画像処理ブロック１３０に入力される。第１画像処理ブロック１３０内のＲＧＢフィルタではＲＧＢのＭＴＦ補正、平滑化、エッジ強調、スルー等のフィルタ係数が先の判定領域により切り換え設定される。第１画像処理ブロック１３０内の色変換部はＲＧＢデータからのＹＭＣＫ変換、ＵＣＲ、ＵＣＡ処理を実行する。
第１画像処理ブロック１３０内の変倍処理部は入力される主走査の画像データに対して拡大／縮小処理を実行する。画像表示部１３２への分岐はこの処理後に行われる。第１画像処理ブロック１３０は図示されていないＩ／Ｆを介して画像表示部１３２に接続されている。
【００３０】
第１画像処理ブロック１３０内のクリエイト部はクリエイト編集、カラー加工を行う。クリエイト編集は斜体、ミラー、影付け、中抜き処理等を実行する処理である。カラー加工は、カラー変換、指定色消去、アンダーカラー等を実行する処理である。
第２画像処理ブロック１３１内のプリンタγ補正部、ＹＭＣＫフィルタでは先の判定領域に基づいてそれぞれγ補正係数、フィルタ係数が設定される。第２画像処理ブロック１３１内の階調処理部はディザ処理を実行し、ビデオコントロール部は書き込みタイミング設定や画像領域、白抜き領域の設定やグレースケールやカラーパッチ等のテストパターン発生を行うことができ、最終画像データを書込処理部でＬＤ（レーザーダイオード）へ出力できるように処理してＬＤへ出力する。
各機能処理部はＣＰＵ１０１に接続されており、ＲＯＭ１０２に格納されているプログラムにより各処理の設定と動作をシステム制御部１０４の指示により実行する。
【００３３】
図１２、１３（従来装置）を参照しながら説明したように、画像読取装置のアナログ系（ＣＣＤ、ＡＤＣ）にスペクトラム拡散クロックを使用すると画像に周期的なノイズが発生する場合があり、また、近年はカラー化、高画質化など画像処理に要求されることが増え画像処理の回路規模も大きくなってきており、これに伴いこの部分の放射電磁波のレベルも大きくなっているからその影響も大きい。これに対してＡＤＣ以降のデジタル系（シェーディング補正回路、各画像処理回路）に対してはスペクトラム拡散クロックは問題なく使用できることから、請求項１、２の発明は、画像読取装置のアナログ系ではスペクトラム拡散クロックを使用しないようにしている。
まず、本発明の実施形態の画像読取装置の要部を示すブロックである図１４、１５を参照しながら請求項１，２の発明について説明する。
本発明の実施形態によれば、基準クロック発振器１３６よりタイミング回路１１２のアナログ系クロック発生回路ＡＴへ基準クロックが入力される。基準クロック発振器１３６はスペクトラム拡散信号発生器（ＳＳＧ）１３７にも接続されており、基準クロックをスペクトラム拡散クロック発生器１３７で周波数変調したスペクトラム拡散クロックをデジタル系クロック発生回路ＤＴへ入力する。そのため３ラインＣＣＤ１１１、アナログ処理回路１１６〜１１８、ＡＤＣ１１９〜１２０までのアナログ部では基準クロックで動作し、その後段のシェーディング補正回路１２２、ライン間補正メモリ１２３、１２４、後段のＩＰＵ回路、画像データメモリ部等の大規模なデジタル部はスペクトラム拡散クロックで動作する。これによって、アナログ部にスペクトラム拡散クロックの変調周波数の影響が及ぶことはない。
なお、図１４、１５の実施形態はアナログ処理部を搭載しているものを示したが、ＣＣＤ出力をエミッタホロワで受けて直接ＡＤＣでデジタル化し、デジタル処理でアナログ処理回路と同機能を実現する場合の構成は図１４、１５のアナログ処理回路１１６、１１７、１１８を省いたものであるから、説明は省略する。
【００３４】
本発明の請求項３，４の発明について画像読取装置の要部のブロック図である図１６、１７を参照しながら説明する。
画像読取装置のアナログ系（ＣＣＤ、ＡＤＣ）にスペクトラム拡散クロックを使用すると画像に周期的なノイズが発生する場合がある。これは読み取り時のクロックにスペクトラム拡散クロックを使用したためであり、待機時や画像メモリからの出力時はスペクトラム拡散クロックを使用して問題ない。
そこで、この実施形態では図示のように基準クロック発振器１３６とタイミング回路１１２のアナログ系クロック発生回路ＡＴとの間に切換回路１３８を設け、ＣＰＵ１０１からの制御により基準クロックとスペクトラム拡散クロックとを選択的に入力できるようにしている。基準クロック発振器１３６の出力は切換回路１３８とスペクトラム拡散クロック発生器１３７に入力される。他方、スペクトラム拡散クロック発生器１３７はスペクトラム拡散クロックをデジタル系クロック発生回路ＤＴへ入力すると共に切換回路１３８にも入力する。
画像読取の駆動周波数を変更するようなシステムにおいて、ある駆動周波数においてはスペクトラム拡散クロックによる画像ノイズが発生しない、または目立たないことがあり、このような場合にはこの構成を採ることにより、スペクトラム拡散クロックをアナログ系クロック発生回路ＡＴにも供給して、さらにＥＭＩの低減化を図ることができる。また、待機時や画像データメモリ１３３、１３４、１３５（図１１）からの出力時にもスペクトラム拡散クロックが使用できる。当然のことながら、切換回路１３８はタイミング回路１３２の中に入れてもよい。即ち、一つのＡＳＩＣ（特定用途向けＩＣ）となる実施例も考えられることは言うまでもない。
【００３５】
本発明の請求項５、６の発明を、画像読取装置の要部のブロック図及びその動作のタイミングチャートを示す図１８、１９、２２を参照しながら説明する。
アナログ系クロック発生回路ＡＴに基準クロックを使用し、デジタル系クロック発生回路ＤＴにスペクトラム拡散クロックを使用する場合、スペクトラム拡散クロックの拡散の割合（周波数変調幅）が極端に小さい場合はＡＤＣ１１９〜１２１とその後段のシェーディング補正回路１２２との間で、クロック系のセットアップタイムとホールドタイムが仕様を満たしている範囲では図１４〜１７の構成で問題ない。しかしながら、拡散の割合が大きくなると、ＡＤＣ１１９〜１２１とシェーディング補正回路１２２との間で同期が取れなくなる。図１８、１９はこの不具合を改善する実施形態を示している。
即ち、ＡＤＣ１１９〜１２１とシェーディング補正回路１２２との間に非同期でリードとライトができる非同期メモリ１３９〜１４１からなるラインバッフアを挿入し、このラインバッファで同期ズレを補正することにより、基準クロックで動作するＡＤＣ１１９〜１２１からのデジタルデータをスペクトラム拡散クロックで動作するシェーディング回路１２２へ受け渡せるようにしている。
図２２は非同期メモリ１３９〜１４１のタイミングチャートを示している。非同期メモリ１３９〜１４１のライトクロックは基準クロックから生成されたＡＤＣクロックを使用する。そして、φＴＧ信号をイネーブル領域として書出スタート信号のＵＳ＿ＲＳＴＷによりデータがメモリに書き込まれる。φＴＧ、ＵＳ＿ＲＳＴＷは基準クロックに基づいてアナログ系クロック発生回路ＡＴにより生成される。φＴＧ信号はＣＣＤの移送ゲートクロックであり、主走査１ライン周期である。これに対して非同期メモリ１３９〜１４１のリードクロックとしては、スペクトラム拡散クロックに基づいてデジタル系クロック発生回路ＤＴにより生成されたＩＣＬＫクロックを使用する。また、φＴＧ信号と同期し、スペクトラム拡散クロックに基づいてデジタル系クロック発生回路ＤＴにより生成されたＦＭＧＡＴＥ信号をイネーブル領域とし、読み出しスタート信号をスペクトラム拡散クロックから生成したＵＳ＿ＲＳＴＲ＿Ｒ、Ｇ、Ｂとする。さらに、書出スタート信号のＵＳ＿ＲＳＴＷに対して主走査１ライン分遅延させたタイミングで読出を行うことで、非同期のデータをＡＤＣ１１９〜１２１とシェーディング補正回路１２２との間で受け渡すことができる。非同期メモリ１３９〜１４１の制限とライン単位での制御性を考慮して各色２ライン以上の容量を持つことで実現できる。
本構成によれば、シェーディング補正回路１２２にスペクトラム拡散クロックを使用できる領域（周波数変調幅）が増すため、更なるＥＭＩ低減が図れる。また、コストダウンを考慮して非同期メモリ１３９〜１４１をシェーディング補正回路１２２に取り込んでＡＳＩＣとする実施例も考えられる。
【００３６】
本発明の請求項７の発明を、画像読取装置の要部のブロック図及びその動作タイミングチャートを示す図２０、２１、２３を参照しながら説明する。
請求項７の発明は、３ラインＣＣＤ１１１のライン間を補正するライン間補正メモリを非同期メモリと共用することでコストを削減することを目的としたものである。即ち、３ラインＣＣＤ１１１を使用しているシステムではＲＧＢの各ラインで読取位置が異なるため、ライン間補正メモリを持っている。そこで、図２０、２１に示す画像読取装置では、図１８、１９で示したＡＤＣ１１９〜１２１直後の非同期メモリ１３９〜１４１の働きをライン間補正メモリ１２３、１２４に持たせることでコストダウンを図る。ただし、図１８、１９では、基準になるＢラインにはライン間補正メモリが設けられていないので、図２０、２１では非同期メモリ（Ｂ用）１４２を追加する。
図２３に示すように、ライン間補正メモリ１２３、１２４の動作は図２２で示した非同期メモリ１３９〜１４１の動作と基本的には同じである。３ラインＣＣＤ１１１のライン間隔は本実施例では４ラインなので、Ｂ光に対してＧ光は４ライン、Ｒ光は８ライン遅延させて読取位置を合わせることが相違点である。Ｂ光に対して非同期メモリ１４２が入ることで１ライン遅延されるため、図２３に示すようにＧ光用のＲＳＴＲ＿Ｇは１＋４＝５ライン、Ｒ光用のＲＳＴＲ＿Ｒは１＋８＝９ラインとなる。
【００３７】
本タイミングチャートは等倍の場合を示したものであるが、副走査速度を変えて副走査変倍を実現しているシステムでは変倍率に応じて遅延させるライン数を計算して設定を変更している。変倍時の設定はこの計算値に対して等倍の時と同様に１ライン加えることは言うまでもない。
【００３８】
請求項８の発明は、読み取り時にはスペクトラム拡散クロックによる周期的なノイズが画像データに乗らないようにすることを目的としている。図１６、１７、２４を参照しながら説明する。
アナログ系クロック発生回路ＡＴに入力するクロックを基準クロックとスペクトラム拡散クロックとに切り換える機能を有する切換回路１３８によって、画像データ読み取り期間だけ基準クロックがアナログ系クロック発生回路ＡＴに入力されるようして画像ノイズの発生を防いでいる。以下、詳細に説明する。なお、以下の説明において、切換回路１３８の状態として、切換回路１３８がスペクトラム拡散クロック発生器１３７からのスペクトラム拡散クロックを選択している状態をＨとし、基準クロック発振器１３６からの基準クロックを選択している状態をＬとする。
通常は、切換回路１３８をＨにしてスペクトラム拡散クロックを選択する。そして、画像を読み取る時、画像読み取りユニットにより、原稿を光源により照射しながら原稿を走査して原稿からの反射光を３ラインＣＣＤ１１１で読み取って、その画像データに対してアナログ処理、Ａ／Ｄ変換、各補正等を施し、最終画像データの書き込み処理がなされ、ＬＤに出力されるが、この間のみ切換回路１３８がＬになり、基準クロックが選択されるようにシステム制御部１０４によって制御する。
図２４のタイミングチャートを参照しながら説明する。まず電源がＯＮすると、切換回路１３８はＨになる。システム制御部１０４（図２４ではメインと記載）からＡＧＣ（Automatic Gain Control）スタートコマンドが入力されると、ＡＧＣが実行される。ＡＧＣは、アナログ処理回路１１６〜１１８での読取初期設定動作を指し、白レベル調整と黒レベルｏｄｄ／ｅｖｅｎ画素調整との合成後の黒レベル調整の一連の動作を含み、ＣＣＤ感度、ランプ光量、汚れなどによるばらつきの補正を行う機能である。画像読取装置では通常、白基準板を用いて、読み取った画像データのＡＧＣを実行する。白基準板はコンタクトガラスのキャリッジのホームポジション側に搭載されている。以下、より詳しく説明する。
【００３９】
スキャナ動作としてホームポジション上で黒レベルｏｄｄ／ｅｖｅｎ画素調整と合成後の黒レベル調整を行った後に、ランプＯＮ状態で白基準板まで移動して白レベル調整を実行し、ホームポジションへ戻り、再度黒レベルｏｄｄ／ｅｖｅｎ画素調整と合成後の黒レベル調整を実行する。その後にシステム制御部１０４からスキャナスタートコマンドが送信されると、スキャナはフォワード動作を開始する。この時、白基準板を読み取り、シェーディング補正回路１２２にて、照明系の光量不均一やＣＣＤ画素出力の補正をスキャン毎に行うシェーディング補正を画像データ読取前に行う。その後、スキャナが原稿先端まで到達すると、ＳＦＧＡＴＥ信号期間（ＳＦＧＡＴＥ信号のレベルがＨｉｇｈの期間）に有効領域の画像データとして読み取られる。ＳＦＧＡＴＥ信号期間が終了すると、スキャナはリターン動作を行ってホームポジションへ戻る。切換回路１３８はＳＦＧＡＴＥ信号期間（読取領域期間）に基準クロックを選択するように切り換える。結果的にそれ以外の時はスペクトラム拡散クロックが選択される。これはスキャン毎に繰り返して実行される。
こうすることにより、画像にスペクトラム拡散クロック発生器１３７によるノイズが発生しなくなり、かつＥＭＩを低減することができる。ここで、画像読み取り時には切換回路１３８をＬにしているため、画像読取装置の駆動クロックの基本周波数成分の高調波が発生するが、ＥＭＩ規格は、瞬時値のＭＡＸ値ではなく、ＱＰ値（準尖頭値）によって定められている規格なので、画像読み取り時のような短い時間切換回路１３８をＬにしても、ＥＭＩ規格をオーバーしてしまうことはない。
【００４０】
請求項９の発明について図１１、１６、１７、２５を参照しながら説明する。
本発明を適用することにより、画像データメモリ１３３〜１３５を持つシステムにおいてはさらにＥＭＩ低減効果が顕著になる。と言うのは、カラー作像においては画像データメモリ１３３〜１３５を持たないシステムでは４スキャンする必要がある。またリピート複写においては毎回スキャンする必要がある。しかし画像データメモリ１３３〜１３５を持つシステムではいずれも１スキャンで済むことになる。スキャン数が減ることは基準クロックの選択時間が短くなることであるから、ＥＭＩ低減効果も高くなる。以下、より詳しく説明する。
【００４１】
請求項９の発明では、画像読取装置に画像データメモリ１３３〜１３５を搭載することにより、フルカラーコピー時や、リピートコピー時のスキャン数を減らして、請求項８の発明と同様に切換回路１３８の状態をＨ（スペクトラム拡散クロックを選択）とＬ（基準クロックを選択）との間で切り換え、かつＬの時間を短くすることで、より確実にＥＭＩの低減化を図り、かつ読み取った画像にノイズが発生しないようにすることを目的としている。
請求項９の発明は、上述のとおり請求項８の発明と同様に切換回路１３８の状態をＬとＨとの間で切り換えるが、この時、画像データメモリ１３３〜１３５を使用して、フルカラーコピー時やリピートコピー時等には１スキャンのみで画像の読み取りができるようにする。
１回目のスキャンまでは、上記請求項８の発明と同様に制御する。この時に画像データメモリ１３３〜１３５に読み取った画像データを取り込み、フルカラー時等の２スキャン目以降は、画像データメモリ１３３〜１３５から画像データを呼び出して（ＯＦＧＡＴＥをオープン）いくので、１スキャン時のみ切換回路１３８をＨにしてスペクトラム拡散クロックを選択しておけば、画像にノイズは発生しない。
こうすることにより、画像にノイズが発生しなくなり、かつ読み取り時に１スキャンしかしないので、切換回路１３８がＬになり、基準クロックを選択している時間がフルカラー時の１／４に短縮されるので、さらにＥＭＩを低減することができる。
【００４２】
請求項９の発明に関する図２５の動作タイミングチャートについて説明する。図２４のタイミングチャートとの違いは、システム制御部１０４からの２スキャン目のスキャナスタートコマンドが送信されずにその代わりメモリ読み出しスタート信号が送信されることにより、ＯＦＧＡＴＥ信号を起動して、画像データメモリ１３３〜１３５からの読み出しを開始することである。この期間では切換回路１３８はスペクトラム拡散クロックを選択しており（図２５で切換回路の状態＝Ｈ）、ＥＭＩの低減が図れる。
【００４３】
本発明の請求項１０の発明について図１６、２６を参照しながら説明する。
アナログ処理回路１１６〜１１８のアナログ処理初期設定時は３ラインＣＣＤ１１１の奇数画素（ｏｄｄ）と偶数画素（ｅｖｅｎ）の黒レベル補正、合成後の黒レベルＤＣ補正、白レベル（ゲイン）補正を行う。従って、ＡＧＣ実行時は読取初期設定動作を実行している期間なので、前記請求項８または９の発明のような制御を行った場合、切換回路１３８をＨにしてスペクトラム拡散クロックを選択した状態でＡＧＣによる補正を行うと、ノイズが発生したままでばらつきを補正してしまうことになり、画像にノイズが発生する大きな原因となる。
つまり、この時にスペクトラム拡散クロックを使用すると、周期的なノイズにより補正精度に影響を与えるので、アナログ処理初期設定時（ＡＧＣ実行時）は基準クロックを使用して（切換回路１３８がＬ）周期的なノイズの影響による補正精度が落ちないようにし、かつ、ＡＧＣ手段のための読み取り時以外の時はスペクトラム拡散クロックを使用（切換回路１３８がＨ）することにより、基準クロックを選択する時間を短くすることでＥＭＩの低減化を図り、かつ読み取った画像のノイズを低減することを目的としている。
そのため本発明においては、上記請求項８または９の発明に加えてＡＧＣ読み取り時にも切換回路１３８がＬになるように制御する。即ち、請求項１０の発明では図２４に示したものとほぼ同様な制御を行うが、電源ＯＮ後のＡＧＣの時にも切換回路１３８をＬにし、ＡＧＣ終了後にまた、Ｈにする。
本発明ではこのように、ＡＧＣ実行期間に切換回路１３８が基準クロックを選択するため、スペクトラム拡散クロックによるノイズの影響で調整の誤差を防ぎ、正確にＡＧＣを行うことができる。この時のタイミングチャートである図２６に示すように、調整精度を上げるためにＡＧＣは電源ＯＮ後に一度だけ実行するのでＥＭＩへの影響度は低い。
【００４４】
請求項１１の発明について図１６、１７、２７を参照しながら説明する。
請求項１１の発明は、シェーディングデータ取り込み時は、アナログ系クロック発生回路ＡＴに供給するクロックをスペクトラム拡散クロックから基準クロックに切り換えることで、シェーディング補正データの精度を落とさないこと、つまり、シェーディング補正回路１２２のためのシェーディングデータ取り込み時にも切換回路１３８をＬにし、それ以外の時はＨにすることにより、基準クロックを選択する時間を短くすることでＥＭＩの低減化を図り、かつ読み取った画像のノイズを低減することを目的としている。
【００４５】
上記請求項１０のような制御を行った場合、スキャン毎のシェーディング補正時はスペクトラム拡散クロックが選択された状態であるため、このまま補正を行うと、ノイズが発生したままで補正してしまうことになり、画像にノイズが発生する大きな原因となる。
そこで本発明においては、上記請求項１０の発明に加えて、このスキャン毎の白基準板読み取り時にも切換回路１３８をＬにして基準クロックが選択されるようにシステム制御部１０４によって制御する。
図２７に示すタイミングチャートにより説明する。図２６に示したものと同様に制御を行い、更にシェーディングデータ取り込み期間は切換回路１３８が基準クロックを選択する（図２７で切換回路の状態＝Ｌ）ことで、スペクトラム拡散クロックを使用した場合のノイズの影響による白、黒データの誤差を防ぐことができる。また、シェーディングデータ取り込み期間は読取領域の直前であるので、両期間合わせて基準クロックに切り換えても問題はない。
【００４６】
請求項１２の発明について図１６、１７、２８を参照しながら説明する。
請求項１２の発明は、請求項８、９と同様な制御を行う画像読取装置において、読み取った画像を画像表示ユニットに表示させ、画像の加工を行うディスプレイエディターモードで動作させる場合は、表示されている画像の解像度が低いため画像のノイズは見えないので、画像読み取り時であってもスペクトラム拡散クロックを選択することにより、基準クロックを選択する時間を短くすることで、ＥＭＩの低減化を図ることを目的としている。
なお、以下に記載する請求項１２の発明の説明では、切換回路１３８がスペクトラム拡散クロック発生器１３７からのスペクトラム拡散クロックを選択している状態をスペクトラム拡散クロック発生器１３７がＯＮであると言い、切換回路１３８が基準クロック発振器１３６からの基準クロックを選択している状態をスペクトラム拡散クロック発生器１３７がＯＦＦであると言う。
上記請求項８、９の発明を実施した場合、画像表示ユニットへの表示を行った時にも、スペクトラム拡散クロック発生器１３７はＯＦＦになるが、画像表示ユニット上の表示は解像度が低く、ノイズが見えるレベルではないので、無駄に高調波を発生させることになる。そこで、本発明では、請求項８、９の発明の実施時においてディスプレイエディターモードで表示を行う時は、ディスプレーエディターモードスタート信号が入力され、その後は、ディスプレイエディターモード終了までスペクトラム拡散クロック発生器１３７をＯＮのままにするようにシステム制御部１０４によって制御する。
図２８のタイミングチャートに示すように、ディスプレイエディターモード時には、スキャン前にディスプレイエディターモードスタートコマンドがＯＮするようにする。これによって、スキャン時もスペクトラム拡散クロック発生器１３７はＯＮのままになる。その後、本スキャンを行う時は、スキャナスタートコマンドが入り、画像データ読み取り時はスペクトラム拡散クロック発生器１３７をＯＦＦにする。こうすることにより、無駄な高調波を発生させることがなくなり、よりＥＭＩを低減することができる。
【００４７】
請求項１３の発明について、図２９、３０、３１、３３を参照しながら説明する。
請求項１３の発明では、プレスキャンによって画像データ全体の濃度を検出し、本スキャン時には、その検出した濃度データに基づいて画像のノイズが顕著に現れる高濃度部については、スペクトラム拡散クロック発生器１３７をＯＦＦにし、それ以外の時はスペクトラム拡散クロック発生器１３７をＯＮにするように切え換えることによって、読み取った画像のノイズを低減し、かつＥＭＩも低減することを目的としている。
請求項１３の発明は、上記のような画像形成装置において、その要部のブロック図である図２９、３０に示すように、Ａ／Ｄコンバータ１１９〜１２１の後段に、濃度検出装置１４０を設けている。
なお、請求項１２の発明の説明では、切換回路１３８がスペクトラム拡散クロック発生器１３７からのスペクトラム拡散クロックを選択している状態をスペクトラム拡散クロック発生器１３７がＯＮであるとし、切換回路１３８が基準クロック発振器１３６からの基準クロックを選択している状態をスペクトラム拡散クロック発生器１３７がＯＦＦであるとしたが、請求項１３の発明では図２９に示すように切換回路を備えていない。図２９では、スペクトラム拡散クロック発生器１３７がＯＮであるとは、スペクトラム拡散クロック発生器１３７が基準クロック発振器１３６からの基準クロックを周波数変調してスペクトラム拡散クロックを発生している状態であり、ＯＦＦとは周波数変調を行わず、基準クロックをそのまま出力している状態である。
濃度検出装置１４０は、例えば、Ａ／Ｄコンバータ１１９〜１２１からの画像データの数値を読み取り、その数値が予め定めておいた高濃度部と判定する閾値を一定の期間連続して越えた時、その部分を高濃度と判定し、逆に一定の期間連続で高濃度部と判定する閾値に達しなかった時、高濃度ではないと判定するような装置である。判定した数値はＣＰＵ１０１に送られ、高濃度の時はスペクトラム拡散クロック発生器１３７がＯＦＦ、それ以外の時はスペクトラム拡散クロック発生器１３７がＯＮになるようにＣＰＵ１０１から制御を行う。
通常はスペクトラム拡散クロック発生器１３７をＯＮにしておく。そしてプレスキャンを実行し、３ラインＣＣＤ１１１、アナログ処理回路１１６〜１１８、Ａ／Ｄコンバータ１１９〜１２１を経て、濃度検出装置１４０に濃度を入力する。ここで濃度検出装置１４０は、画像データ全体の濃度を記憶する。そして本スキャン時には、記憶された濃度データを基に、高濃度部の時はスペクトラム拡散クロック発生器１３７をＯＦＦ、低濃度部の時はＯＮさせながらスキャンさせる。このフローチャートを図３１に示す。また、タイミングチャートを図３３に示す。
最初にスキャン動作を前記フローチャートについて説明する。
まず、プレスキャンを開始し（Ｓ１０１）、画像濃度の検出を行う（Ｓ１０２）、続いて検出された画像濃度を閾値と対比してスペクトラム拡散クロック発生器１３７のＯＮ／ＯＦＦを判定し、記憶させ（Ｓ１０３）、プレスキャンを終了する（Ｓ１０４）。次に、本スキャンを開始し（Ｓ１０５）、先に記憶しておいたスペクトラム拡散クロック発生器１３７のＯＮ／ＯＦＦデータを呼び出し（Ｓ１０６）、それに従ってスペクトラム拡散クロック発生器１３７をＯＮ／ＯＦＦさせながらスキャンを実行し（Ｓ１０７）、本スキャンを終了し（Ｓ１０８）、スペクトラム拡散クロック発生器１３７をＯＮの状態にして（Ｓ１０９）スキャン動作を終了する。
【００４８】
以下にタイミングチャートの説明を行う。
電源がＯＮすると、スペクトラム拡散クロック発生器１３７はＯＮになる。システム制御部１０４からＡＧＣスタートコマンドが入ると、ＡＧＣが実行される。まず、プレスキャンスタートコマンドが入力され、プレスキャンが開始され、ＳＦＧＡＴＥが開き、画像データの読み取りが開始され、画像データの濃度が濃度検出器１４０に取り込まれる。プレスキャンによる画像読み取り時はスペクトラム拡散クロック発生器１３７はＯＮのままにする。その後、スキャナスタートコマンドが入力されると、画像濃度に応じて、スペクトラム拡散クロック発生器１３７をＯＦＦ／ＯＮしながら、画像データを読み取る。
こうすることにより、高濃度部の画像については、スペクトラム拡散クロック発生器１３７がＯＦＦになるので、画像のノイズを低減することができ、かつＥＭＩを低減することができる。ここで、画像読み取り時にスペクトラム拡散クロック発生器１３７をＯＦＦしている期間があるため、読取装置の駆動クロックの基本周波数成分の高調波が発生するが、ＥＭＩ規格は、瞬時値のＭＡＸ値ではなく、ＱＰ値（準尖頭値）によって定められている規格なので、短い時間内でＯＦＦしていても、ＥＭＩを低減することができる。
【００４９】
請求項１４の発明について図２９、３０、３２、３４を参照しながら説明する。
請求項１４の発明は、画像データの濃度をリアルタイムに検出し、その濃度データに基づいて、画像のノイズが顕著に現れる高濃度部については、スペクトラム拡散クロック発生器１３７をＯＦＦにし、それ以外の時はスペクトラム拡散クロック発生器１３７をＯＮにすることによって、読み取った画像のノイズを低減し、かつＥＭＩも低減することを目的としている。
請求項１４の発明は、請求項１３と同様にＡ／Ｄコンバータ１１９〜１２１の後段に濃度検出装置１４０を設ける。濃度検出装置１４０が判定した数値はＣＰＵ１０１に送られる。ＣＰＵ１０１は、高濃度の時はスペクトラム拡散クロック発生器１３７がＯＦＦ、それ以外の時はスペクトラム拡散クロック発生器１３７がＯＮになるように制御する。
本発明の画像読み取り装置では、通常はスペクトラム拡散クロック発生器１３７をＯＮにしておく。そして画像を読み取る時、濃度検出装置１４０を作動させ、読み取った値によって、リアルタイムにスペクトラム拡散クロック発生器１３７をＯＦＦ／ＯＮさせる。このフローチャートを図３２に示す。またタイミングチャートを図３４に示す。
まず、スキャン動作を前記フローチャートについて説明する。
スキャンを開始し（Ｓ２０１）、それと同時に画像濃度を検出し（Ｓ２０２）、その濃度に応じてスペクトラム拡散クロック発生器１３７をＯＮ／ＯＦＦを判定し（Ｓ２０３）、その判定結果に基づきスペクトラム拡散クロック発生器１３７のＯＮ／ＯＦＦを実行する（Ｓ２０４）。それをスキャン終了まで行い（Ｓ２０５）、スペクトラム拡散クロック発生器１３７をＯＮにして（Ｓ２０６）、スキャン動作を終了する。
【００５０】
以下にタイミングチャートの説明をする。
まず、シェーディングデータ取り込みまでは、請求項１３と同様な制御を行う。この後ＳＦＧＡＴＥが開き、画像の読み取りが開始され、同時に濃度検出装置１４０におけるデータの取り込みも開始され、濃度データを瞬時に検出し、スペクトラム拡散クロック発生器１３７をリアルタイムにＯＦＦ／ＯＮさせていく。
こうすることにより、高濃度部の画像については、スペクトラム拡散クロック発生器１３７がＯＦＦになるので、画像のノイズが低減される。また、スペクトラム拡散クロック発生器１３７がＯＦＦになっている時間は短いので、ＥＭＩを低減することができる。
【００５２】
【発明の効果】
請求項１、２の発明に対応した効果：タイミング回路をアナログ系クロック発生回路とデジタル系クロック発生回路に分けることで、アナログ系クロック発生回路は基準クロックで動作させて画像データに周期ノイズが発生するのを防ぎ、デジタル系クロック発生回路はスペクトラム拡散クロックを使用してＥＭＩの低減効果が得られる。
【００５３】
請求項３、４の発明に対応した効果：クロック切換手段で基準クロックが必要なとき以外はスペクトラム拡散クロックを入力するようにしたため、読み取り時のスペクトラム拡散クロックによる周期的なノイズの発生がなくしかもＥＭＩの低減効果が得られる。
請求項５の発明に対応した効果：タイミング回路をアナログ系クロック発生回路とデジタル系クロック発生回路に分けた場合のつなぎの部分に、非同期リード・ライト可能なメモリを入れたため、アナログ系クロック発生回路を基準クロックで動作させ、デジタル系クロック発生回路をスペクトラム拡散クロックで動作させた場合に両者のつなぎの部分で同期ズレが発生することがない。
請求項６の発明に対応した効果：シェーディング補正回路にスペクトラム拡散クロックを使用できる領域が増し、ＥＭＩの低減が図れる。
請求項７の発明に対応した効果：３ラインＣＣＤのライン間を補正するライン間補正メモリを非同期リード・ライト可能なメモリと共用することで、コストを削減することができる。
【００５４】
請求項８の発明に対応した効果：読み取り時にスペクトラム拡散クロックによる周期的なノイズが現れることがない。さらに、後段の画像処理回路にスペクトラム拡散クロックを供給することでシステム全体としてのＥＭＩ低減効果が得らる。
請求項９の発明に対応した効果：例えば、カラー作像においては画像データメモリを持たないシステムでは４スキャンする必要があり、またリピート複写においては毎回スキャンする必要があるが、画像データメモリを備えたため、１スキャンで済む。つまり、フルカラーコピー時や、リピートコピー時のスキャン数を減らしたため、基準クロックの選択時間が短くなりＥＭＩ低減効果を高めることができる。
請求項１０の発明に対応した効果：アナログ処理手段の初期設定時（ＡＧＣ実行時）は基準クロックを使用するため、アナログ処理手段の初期設定時にスペクトラム拡散クロックによる周期的なノイズの影響による補正精度の低下がない。
【００５５】
請求項１１の発明に対応した効果：  シェーディングデータ取り込み時は基準クロックに切り換えることで、シェーディング補正データの精度を落とすことがない。
請求項１２の発明に対応した効果：  ディスプレイエディターモード動作の読取時には、スペクトラム拡散クロックを選択したままにする制御を加えることにより、無駄に基準クロックを選択することがなくなり、ＥＭＩを低減することができる。
請求項１３の発明に対応した効果：プレスキャンによって画像データ全体の濃度を検出し、本スキャン時には、その検出した濃度データに基づいて画像のノイズが顕著に現れる高濃度部については、基準クロックを使用し、それ以外の部分ではスペクトラム拡散クロックを使用することによって、読み取った画像のノイズを低減し、かつＥＭＩを低減することができる。
請求項１４に対応した効果：画像データの濃度をリアルタイムに検出し、その濃度データに基づいて、画像のノイズが顕著に現れる高濃度部については、基準クロックを使用し、それ以外の部分ではスペクトラム拡散クロックを使用することをリアルタイムで切り換えることによって、プレススキャンを行うことなく読み取った画像のノイズを低減し、かつＥＭＩを低減することができる。
請求項１５に対応した効果：画像形成装置において前記各請求項に記載された効果を得ることができる。
【００５６】
以上のように本発明では、スペクトラム拡散クロックを使用することで、ノイズの発生を抑止する。そのため、基板への各種対策（ＥＭＩフィルタや６層基板等の多層基板等の搭載）、コアの低減化、板金や板バネのグランディングやシールド強化等が最低限で済み、コスト低減という効果も得られる。
【図面の簡単な説明】
【図１】  本発明を実施するための画像形成装置を概略的に示す図である。
【図２】  画像表示ユニットの機能ブロック図である。
【図３】  画像表示ユニットの説明図である。
【図４】  操作部ユニットの一例を示す図である。
【図５】  ＬＣＤの一例を示す図である。
【図６】  図５における変倍キー押下による画面展開の一例を示す図である。
【図７】  タッチパネル検出回路の一例を示す図である。
【図８】  図７に示すタッチパネルの設定を説明するための図である。
【図９】  操作部ユニットのブロック図である。
【図１０】  本発明に関連した画像読取装置の全体のブロック図である。
【図１１】  図１０と同様の図である。
【図１２】  従来の画像読取装置の要部のブロック図でる。
【図１３】  図１２と同様の図である。
【図１４】  請求項１、２の実施形態の画像読取装置の要部のブロック図である。
【図１５】  図１４と同様の図である。
【図１６】  請求項３、４の実施形態の画像読取装置の要部のブロック図である。
【図１７】  図１６と同様の図である。
【図１８】  請求項５、６の実施形態の画像読取装置の要部のブロック図である。
【図１９】  図１８と同様の図である。
【図２０】  請求項７の実施形態の画像読取装置の要部のブロック図である。
【図２１】  図２０と同様の図である。
【図２２】  請求項５、６に関連した非同期メモリのタイミングチャートである。
【図２３】  請求項７に関連したライン間メモリのタイミングチャートである。
【図２４】  請求項８に関連した読取装置の動作のタイミングチャートである。
【図２５】  請求項９に関連した読取装置の動作のタイミングチャートである。
【図２６】  請求項１０に関連した読取装置の動作のタイミングチャートである。
【図２７】  請求項１１に関連した読取装置の動作のタイミングチャートである。
【図２８】  請求項１２に関連した読取装置の動作のタイミングチャートである。
【図２９】  請求項１３の実施形態の画像読取装置の要部のブロック図である。
【図３０】  図２９と同様の図である。
【図３１】  請求項１３に関連した読取装置の動作のフローチャートである。
【図３２】  請求項１４に関連した読取装置の動作のフローチャートである。
【図３３】  請求項１３に関連した読取装置の動作のタイミングチャートである。
【図３４】  請求項１４に関連した読取装置の動作のタイミングチャートである。
【図３５】  基準クロックの周波数変調を示す参考図である。
【図３６】  変調周波数で拡散された前後のクロック出力の周波数帯域を示す参考図である。
【符号の説明】
１０１…ＣＰＵ、１１２…タイミング回路、１３６…基準クロック発振器、１３７…スペクトラム拡散クロック発生器、１３８…切換回路。
【図１】
0003722403.tif 000002
【図２】
0003722403.tif 000003
【図３】
0003722403.tif 000004
【図４】
0003722403.tif 000005
【図５】
0003722403.tif 000006
【図６】
0003722403.tif 000007
【図７】
0003722403.tif 000008
【図８】
0003722403.tif 000009
【図９】
0003722403.tif 000010
【図１０】
0003722403.tif 000011
【図１１】
0003722403.tif 000012
【図１２】
0003722403.tif 000013
【図１３】
0003722403.tif 000014
【図１４】
0003722403.tif 000015
【図１５】
0003722403.tif 000016
【図１６】
0003722403.tif 000017
【図１７】
0003722403.tif 000018
【図１８】
0003722403.tif 000019
【図１９】
0003722403.tif 000020
【図２０】
0003722403.tif 000021
【図２１】
0003722403.tif 000022
【図２２】
0003722403.tif 000023
【図２３】
0003722403.tif 000024
【図２４】
0003722403.tif 000025
【図２５】
0003722403.tif 000026
【図２６】
0003722403.tif 000027
【図２７】
0003722403.tif 000028
【図２８】
0003722403.tif 000029
【図２９】
0003722403.tif 000030
【図３０】
0003722403.tif 000031
【図３１】
0003722403.tif 000032
【図３２】
0003722403.tif 000033
【図３３】
0003722403.tif 000034
【図３４】
0003722403.tif 000035
【図３５】
0003722403.tif 000036
【図３６】
0003722403.tif 000037